(57)【要約】【課題】電磁バルブを境にして電磁ポンプ側が貯留部側よりも低圧となる事態を防ぐ。【解決手段】吸引配管５０ｆの電磁ポンプ５０ｃと電磁バルブ５０ｄとの間の部位に、大気に対して開閉する開閉バルブ５０ｅを備える。そして、リトライ動作やバッグインボックス２６の交換動作において、電磁バルブ５０ｄを閉じて電磁ポンプ５０ｃを停止した後、開閉バルブ５０ｅを開けて電磁ポンプ５０ｃと電磁バルブ５０ｄとの間の吸引配管５０ｆを大気に開放する。このため、電磁ポンプ５０ｃのイナーシャに関わらず、電磁バルブ５０ｄを境にして電磁ポンプ５０ｃ側の圧を貯留部５０ａ（シロップ供給配管２６ａ）側よりも高く維持することになる。この結果、電磁バルブ５０ｄを境にして電磁ポンプ５０ｃ側が貯留部５０ａ側よりも低圧となる事態を防ぐことが可能になる。【選択図】        図２
2007141141.tif 000002
【特許請求の範囲】
【請求項１】
シロップ原液を収容したバッグインボックスからベンドステージに至る供給配管にシロップポンプを設けて前記バッグインボックスからシロップ原液を吸引して前記ベンドステージに供給する飲料供給装置に係り、前記供給配管の途中にてシロップ原液を一旦貯留する貯留部と、当該貯留部に貯留したシロップ原液を検知する検知センサと、前記供給配管から分岐する態様で前記貯留部に接続した吸引配管を介して前記貯留部に前記バッグインボックスのシロップ原液を吸引する電磁ポンプと、前記吸引配管を開閉する電磁バルブとを有した飲料供給装置のシロップ検知回路であって、
前記吸引配管の前記電磁ポンプと電磁バルブとの間の部位に設けてあって大気に対して開閉する開閉バルブを備えたことを特徴とする飲料供給装置のシロップ検知回路。
【請求項２】
前記電磁バルブを閉じて前記電磁ポンプの稼働を停止した後に前記開閉バルブを開けて所定時間の経過後に当該開閉バルブを閉じる制御部を有したことを特徴とする請求項１に記載の飲料供給装置のシロップ検知回路。
【発明の詳細な説明】
【技術分野】
【０００１】
本発明は、シロップ原液を希釈水で希釈したシロップ飲料を提供する飲料供給装置（カップ式飲料自動販売機）に係り、シロップ原液の有無を検知する飲料供給装置のシロップ検知回路に関するものである。
【背景技術】
【０００２】
従来、シロップ原液を収容したバッグインボックスからシロップ原液を取り出してシロップ飲料の調理を行う飲料供給装置がある。この種の飲料供給装置においては、バッグインボックス内部のシロップ原液の有無を検知するシロップ検知回路を備えたものがある。図５に示すようにバッグインボックス２６には、カップＣを載置するベンドステージに至るシロップ供給配管２６ａが接続してあり、このシロップ供給配管２６ａに設けたシロップポンプ２６ｂの吸引によってバッグインボックス２６内部のシロップ原液がカップＣに供給される。シロップ検知回路５０は、バッグインボックス２６とシロップポンプ２６ｂとの間のシロップ供給配管２６ａに介在して所定量（例えば飲料１杯分に用いる量）のシロップ原液を貯留する貯留部５０ａと、当該貯留部５０ａにあるシロップ原液を検知する一対の電極からなる検知センサ５０ｂと、貯留部５０ａに接続した吸引配管５０ｆを介して貯留部５０ａにバッグインボックス２６のシロップ原液を吸引する電磁ポンプ５０ｃと、吸引配管５０ｆを開閉する電磁バルブ５０ｄとで構成してある。なお、一般的な飲料供給装置では、複数のシロップ飲料を調理するため、図５に示すように複数のバッグインボックス２６に接続した各シロップ供給配管２６ａにそれぞれシロップポンプ２６ｂが設けてあり、各バックインボックス２６に対応したシロップ検知回路５０が設けてあって、電磁ポンプ５０ｃのみが各電磁バルブ５０ｄを並列接続して共通としてある。
【０００３】
図５に示すシロップ検知回路５０は、貯留部５０ａにシロップ原液が貯留されている場合に、検知センサ５０ｂがシロップ原液に接触してシロップ原液がバッグインボックス２６に有ることを検知する。一方、シロップ検知回路５０は、貯留部５０ａにシロップ原液が貯留されていない場合に検知センサ５０ｂがシロップ原液に接触していないことでシロップ原料がバッグインボックス２６に無いと検知する。また、電磁バルブ５０ｄおよび電磁ポンプ５０ｃは、バッグインボックス２６の交換時や、検知センサ５０ｂがシロップ原液に接触しない場合のリトライ時などに動作する。すなわち、バッグインボックス２６の交換時には、新しいバッグインボックス２６をシロップ供給配管２６ａに接続したとき、接続したバッグインボックス２６に対応する電磁バルブ５０ｄを開けて電磁ポンプ５０ｃを稼働し、バッグインボックス２６からシロップ原液を吸引して貯留部５０ａに貯留させて、その後電磁バルブ５０ｄを閉じて電磁ポンプ５０ｃを停止する。また、リトライ時には、該当する貯留部５０ａに対応する電磁バルブ５０ｄを開けて電磁ポンプ５０ｃを稼働し、検知センサ５０ｂがシロップ原液を検知するか否かを確認して、その後電磁バルブ５０ｄを閉じて電磁ポンプ５０ｃを停止する。
【０００４】
ところで、シロップタンクから配管を介して供給されるシロップの有無を検出するため、当該配管の途中に一対の電極を配置したシロップ検出部を備えたものがある（例えば、特許文献１参照）。また、バッグインボックス内のシロップ原料の残量を検出するため、当該バッグインボックスの重量を検出する重量センサを備えたものがある（例えば、特許文献２参照）。
【０００５】
【特許文献１】特開２００１−５２２５６号公報
【特許文献２】特開２００２−２３０６３７号公報
【発明の開示】
【発明が解決しようとする課題】
【０００６】
図５に示す従来のシロップ検知回路５０では、電磁バルブ５０ｄを境にして貯留部５０ａ（シロップ供給配管２６ａ）側と電磁ポンプ５０ｃ側とで圧力差が生じて、電磁ポンプ５０ｃ側が貯留部５０ａ側よりも低圧となる。その原因としては、上述のごとく電磁バルブ５０ｄを閉じた後に電磁ポンプ５０ｃを停止したとき、電磁ポンプ５０ｃのイナーシャによって電磁バルブ５０ｄと電磁ポンプ５０ｃとの間の吸引配管５０ｆに負圧が生じることによる。他に、上述のごとく複数のバッグインボックス２６を備えた構成において、バッグインボックス２６の交換時に、交換を行わないバッグインボックス２６に対応する電磁バルブ５０ｄが閉じているため、電磁ポンプ５０ｃを稼働した際に、閉じている電磁バルブ５０ｄと電磁ポンプ５０ｃとの間の吸引配管５０ｆに負圧が生じることによる。一方、電磁バルブ５０ｄには、シロップポンプ２６ｂの稼働時の振動、飲料供給装置をカップ式飲料自動販売機に適応した場合でのカップ供給機構（図示せず）の稼働時の振動、および飲料供給装置の筐体扉の開閉時の振動などによってチャタリングが生じる。
【０００７】
このように、電磁バルブ５０ｄを境にして電磁ポンプ５０ｃ側が貯留部５０ａ側よりも低圧となった場合に電磁バルブ５０ｄにチャタリングが生じると、電磁バルブ５０ｄから電磁ポンプ５０ｃ側にシロップ原液が吸引されて電磁ポンプ５０ｃに至り、電磁バルブ５０ｄや電磁ポンプ５０ｃに動作不良が生じるおそれがある。このため、バッグインボックス２６の交換時や、リトライ時などに電磁バルブ５０ｄおよび電磁ポンプ５０ｃを動作させることができなくなる。すなわち、バッグインボックス２６の交換を行うことができなくなる。また、バッグインボックス２６内部にシロップ原液がまだ有るにもかかわらずシロップ原液が無いと誤検知してしまう。この結果、シロップ原液の供給を行うことができなくなるという問題がある。
【０００８】
本発明は、上記実情に鑑みて、電磁バルブを境にして電磁ポンプ側が貯留部側よりも低圧となる事態を防ぐことができる飲料供給装置のシロップ検知回路を提供することを目的とする。
【課題を解決するための手段】
【０００９】
上記の目的を達成するために、本発明の請求項１に係る飲料供給装置のシロップ検知回路は、シロップ原液を収容したバッグインボックスからベンドステージに至る供給配管にシロップポンプを設けて前記バッグインボックスからシロップ原液を吸引して前記ベンドステージに供給する飲料供給装置に係り、前記供給配管の途中にてシロップ原液を一旦貯留する貯留部と、当該貯留部に貯留したシロップ原液を検知する検知センサと、前記供給配管から分岐する態様で前記貯留部に接続した吸引配管を介して前記貯留部に前記バッグインボックスのシロップ原液を吸引する電磁ポンプと、前記吸引配管を開閉する電磁バルブとを有した飲料供給装置のシロップ検知回路であって、前記吸引配管の前記電磁ポンプと電磁バルブとの間の部位に設けてあって大気に対して開閉する開閉バルブを備えたことを特徴とする。
【００１０】
本発明の請求項２に係る飲料供給装置のシロップ検知回路は、上記請求項１において、前記電磁バルブを閉じて前記電磁ポンプの稼働を停止した後に前記開閉バルブを開けて所定時間の経過後に当該開閉バルブを閉じる制御部を有したことを特徴とする。
【発明の効果】
【００１１】
本発明に係る飲料供給装置のシロップ検知回路は、吸引配管の電磁ポンプと電磁バルブとの間の部位に、大気に対して開閉する開閉バルブを備えた。このため、電磁バルブを境にして電磁ポンプ側の圧を貯留部（供給配管）側よりも高く維持することになる。この結果、電磁バルブを境にして電磁ポンプ側が貯留部側よりも低圧となる事態を防ぐことができる。
【００１２】
また、電磁バルブを閉じて電磁ポンプを停止した後、開閉バルブを開けて電磁ポンプと電磁バルブとの間の吸引配管を大気に開放する。このため、電磁ポンプのイナーシャに関わらず、電磁バルブを境にして電磁ポンプ側の圧を貯留部（供給配管）側よりも高く維持することになる。この結果、電磁バルブを境にして電磁ポンプ側が貯留部側よりも低圧となる事態を防ぐことができる。
【００１３】
したがって、シロップポンプの稼働時の振動、各駆動機構の稼働時の振動、および飲料供給装置の筐体扉の開閉時の振動などによって電磁バルブにチャタリングが生じたとしても、電磁バルブを境にして電磁ポンプ側の圧を貯留部（供給配管）側よりも高く維持しているので、電磁バルブから電磁ポンプ側にシロップ原液が吸引されることがない。この結果、バッグインボックスの交換動作時や、リトライ動作時などに電磁バルブおよび電磁ポンプを動作させることができ、シロップ原液の供給を行うことができなくなる事態を防ぐことができる。
【発明を実施するための最良の形態】
【００１４】
以下に添付図面を参照して、本発明に係る飲料供給装置のシロップ検知回路の好適な実施の形態を詳細に説明する。
【００１５】
図１は本発明に係るシロップ検知回路を適用した飲料供給装置の実施の形態を示す概念図である。
【００１６】
ここで例示する飲料供給装置１は、カップ供給機構（図示せず）によってベンドステージＳに搬送した飲料容器であるカップＣに対して、シロップ飲料を投入するためのシロップ飲料供給部２を備えている。
【００１７】
シロップ飲料供給部２は、水リザーバ２１、製氷機２２および冷却水槽２３を備えて構成してある。
【００１８】
水リザーバ２１は、上水道から供給された水（水道水）を貯留するものである。
【００１９】
製氷機２２は、水リザーバ２１に製氷用水導入配管２１ａを介して接続してある。製氷機２２は、製氷用水導入配管２１ａを通じて水リザーバ２１から移送された水を用いて氷を製造し、当該氷を貯留する。図には明示しないが製氷機２２は、製氷部としての円筒状のアジテータの内部にスクリュ形状のオーガが配設してあり、モータによって回転駆動したオーガでアジテータの筒内に生じた氷を切削しつつ上方に押し上げる。アジテータの上部には、固定刃が設けてあり、この固定刃によってオーガで押し上げられた氷を圧縮してチップ状の氷にする。また、アジテータの上方には、製造したチップ状の氷を貯留するストッカが設けてある。そして、製氷機２２によって製造された氷は、ストッカから氷供給配管２２ａを通じてカップＣの内部に必要量が投入されることになる。
【００２０】
冷却水槽２３は、主に冷却水（希釈水）を生成するためのものであって、冷却用水２３ａを貯留した水槽である。冷却水槽２３には、水冷却コイル２４と、カーボネータ２５と、バッグインボックス２６に接続されたシロップ供給配管２６ａの一部とがそれぞれ冷却用水２３ａに浸漬させた形態で配設してある。
【００２１】
水冷却コイル２４は、水ポンプ２１ｂを有した飲料用水供給配管２１ｃを介して水リザーバ２１に接続してある。水冷却コイル２４は、飲料用水供給配管２１ｃを通じて水リザーバ２１から移送された水を冷却して冷却水を生成するものである。水冷却コイル２４で生成された冷却水は、冷却水バルブ２４ａを有した冷却水供給配管２４ｂを通じてカップＣの内部に必要量が投入されることになる。
【００２２】
カーボネータ２５は、炭酸ガスボンベ２７に炭酸ガス導入配管２７ａを介して接続してあり、かつ、冷却水供給配管２４ｂの途中に逆止弁２５ａを介して接続してある。カーボネータ２５は、炭酸ガスボンベ２７から移送された炭酸ガスと、冷却水供給配管２４ｂを介して水冷却コイル２４から移送された冷却水とを混合して炭酸水を生成するものである。カーボネータ２５で生成された炭酸水は、炭酸水バルブ２５ｂを有した炭酸水供給配管２５ｃを通じてカップＣの内部に必要量が投入されることになる。
【００２３】
バッグインボックス２６は、シロップ原液の製造設備において、可撓性を有する軟質な合成樹脂製のバッグの内部にシロップ原液を充填して密封したものである。バッグインボックス２６は、シロップ原液を排出する排出口（図示せず）を、シロップ供給配管２６ａに接続してある。シロップ供給配管２６ａは、ベンドステージＳに至り配置してあって、その途中にシロップポンプ２６ｂが設けてある。このシロップポンプ２６ｂは、逆止弁を備えたピストン式のものであって、シロップ供給配管２６ａを介してバッグインボックス２６内部のシロップ原液を吸引しつつ、シリンダ内部に所定量（例えば飲料１杯分）のシロップ原液を保留して、シロップ原液の吸引時に保留したシロップ原液をカップＣに供給する。また、シロップ供給配管２６ａの一部は、冷却水槽２３に貯留した冷却用水２３ａに浸漬してある。そして、バッグインボックス２６に収容されたシロップ原液は、シロップポンプ２６ｂによる吸引によってシロップ供給配管２６ａを通じてカップＣの内部に必要量が投入されることになる。このとき、シロップポンプ２６ｂの稼働によってバッグインボックス２６からシロップポンプ２６ｂの間のシロップ供給配管２６ａに負圧が生じることになる。なお、本実施の形態における飲料供給装置では、複数のシロップ飲料を調理するために、バッグインボックス２６を複数設けてあり、各バッグインボックス２６に接続した各シロップ供給配管２６ａにそれぞれシロップポンプ２６ｂが設けてある。
【００２４】
なお、図には明示しないが、上述した飲料供給装置１には、上記各飲料を選択する飲料選択ボタンを有している。すなわち、飲料供給装置１においては、飲料選択ボタンが操作されることによってシロップ飲料供給部２から所望の飲料がベンドステージＳに載置されたカップＣに投入されることで各飲料を提供する。また、図には明示しないが、上述した飲料供給装置１は、硬貨を処理するコインメカニズムや紙幣を処理するビルバリデータなどの課金部を備えることによってカップ式飲料自動販売機として構成されるものである。
【００２５】
以下、本発明のシロップ検知回路について説明する。まず、シロップ検知回路の構成について説明する。図２は本発明に係るシロップ検知回路の実施の形態を示す概念図である。
【００２６】
図１に示すようにシロップ飲料供給部２のシロップ供給配管２６ａにおいて、バッグインボックス２６とシロップポンプ２６ｂとの間には、シロップ検知回路５０が設けてある。
【００２７】
図２に示すようにシロップ検知回路５０は、上述したバッグインボックス２６からベンドステージＳに至るシロップ供給配管２６ａにおいて、バッグインボックス２６とシロップポンプ２６ｂとの間に設けてあって、貯留部５０ａと、検知センサ５０ｂと、電磁ポンプ５０ｃと、電磁バルブ５０ｄと、開閉バルブ５０ｅとを有している。
【００２８】
貯留部５０ａは、シロップ供給配管２６ａに介在してあって、所定量（例えば飲料１杯分に用いる量）のシロップを貯留する容器を構成してある。
【００２９】
検知センサ５０ｂは、貯留部５０ａの内部に配置してあり、貯留部５０ａにシロップ原液が所定量貯留されているとき、当該シロップ原液に接触する一対の電極からなる。
【００３０】
電磁ポンプ５０ｃは、シロップ供給配管２６ａから分岐する態様で貯留部５０ａに接続した吸引配管５０ｆに設けてあり、当該吸引配管５０ｆを介して貯留部５０ａにバッグインボックス２６のシロップ原液を吸引するものである。
【００３１】
電磁バルブ５０ｄは、吸引配管５０ｆの貯留部５０ａと電磁ポンプ５０ｃとの間の部位に設けてあり、吸引配管５０ｆを開閉するためのものである。
【００３２】
開閉バルブ５０ｅは、吸引配管５０ｆの電磁ポンプ５０ｃと電磁バルブ５０ｄとの間の部位に設けた開放配管５０ｇに配設してあって、開放配管５０ｇを介して電磁ポンプ５０ｃと電磁バルブ５０ｄとの間の吸引配管５０ｆを大気に対して開閉するためのものである。
【００３３】
なお、上述したように本実施の形態における飲料供給装置１では、複数のシロップ飲料を調理するために、バッグインボックス２６を複数設けてある。そして、シロップ検知回路５０は、図２に示すように各バッグインボックス２６に対応して各シロップ供給配管２６ａに貯留部５０ａをそれぞれ設けてあり、各貯留部５０ａに接続した各吸引配管５０ｆに電磁バルブ５０ｄをそれぞれ設け、当該電磁バルブ５０ｄを並列するように吸引配管５０ｆを集合して単一の電磁ポンプ５０ｃを共通としてある。また、開閉バルブ５０ｅは、集合した吸引配管５０ｆに開放配管５０ｇを接続して配設してある。
【００３４】
次に、シロップ検知回路の制御系について説明する。図３は図２に示すシロップ検知回路の制御系を示すブロック図である。
【００３５】
飲料供給装置１では、飲料供給制御部（制御部）１００を備えている。飲料供給制御部１００は、飲料選択ボタン（図示せず）を操作して飲料選択信号が与えられた場合、予めメモリ１０１に格納したプログラムやデータに従って、飲料の供給を行うためのシロップ飲料供給部の制御を行うためのものである。この飲料供給制御部１００には、シロップポンプ２６ｂ、検知センサ５０ｂ、電磁ポンプ５０ｃ、電磁バルブ５０ｄおよび開閉バルブ５０ｅが接続してある。
【００３６】
なお、図には明示しないが、飲料供給装置１を適用したカップ式飲料自動販売機では、飲料選択ボタンや、課金部（コインメカニズム・ビルバリデータ）からの入力を処理する自販機制御部を備えている。自販機制御部は、課金部に入金があり、かつ、飲料選択ボタンが操作された場合に、上記飲料供給制御部１００に飲料選択信号を与える。
【００３７】
次に、シロップ検知回路の動作について説明する。図４は図２に示すシロップ検知回路の動作を示すタイミングチャートである。
【００３８】
飲料選択ボタン（図示せず）を操作して飲料選択信号が与えられた場合、飲料供給制御部１００は、図４に示すようにシロップポンプ２６ｂを所定時間Ｔ１稼働（ＯＮ）して、所定量（例えば飲料１杯分）のシロップ原液をカップＣに投入する。
【００３９】
シロップポンプ２６ｂを稼働したとき、図４の（イ）のごとく検知センサ５０ｂの電極が貯留部５０ａに貯留したシロップ原液から離れて検知センサ５０ｂがＯＦＦになった場合、飲料供給制御部１００は、リトライ動作を行うために電磁ポンプ５０ｃ、電磁バルブ５０ｄおよび開閉バルブ５０ｅを制御する。すなわち、リトライ動作時、飲料供給制御部１００は、該当する貯留部５０ａに対応する電磁バルブ５０ｄを開け（ＯＮ）、電磁ポンプ５０ｃを稼働して（ＯＮ）、検知センサ５０ｂがシロップ原液を検知するか否かを確認する。このリトライ動作において、電磁バルブ５０ｄを開けて電磁ポンプ５０ｃを稼働したとき、図４の（ロ）のごとく検知センサ５０ｂの電極が貯留部５０ａに貯留したシロップ原液に接触して検知センサ５０ｂがＯＮになった場合、飲料供給制御部１００は、電磁バルブ５０ｄを閉じ（ＯＦＦ）、電磁ポンプ５０ｃを停止する（ＯＦＦ）。次いで、飲料供給制御部１００は、開閉バルブ５０ｅを開けて（ＯＮ）、所定時間Ｔ２経過後に閉じる（ＯＦＦ）。さらに、飲料供給制御部１００は、「シロップ原液有り」と判断して該当するシロップ原液に係る飲料の供給を可能とし、当該飲料の飲料選択ボタン（図示せず）の操作を有効化する。
【００４０】
一方、リトライ動作において、電磁バルブ５０ｄを開け（ＯＮ）、電磁ポンプ５０ｃを稼働したとき（ＯＮ）、所定時間（例えばバッグインボックス２６のシロップ原液が貯留部５０ａに貯留される想定時間）経過しても、検知センサ５０ｂの電極が貯留部５０ａに貯留したシロップ原液から離れたまま（ＯＦＦのまま）である場合、飲料供給制御部１００は、電磁バルブ５０ｄを閉じ（ＯＦＦ）、電磁ポンプ５０ｃを停止する（ＯＦＦ）。次いで、飲料供給制御部１００は、開閉バルブ５０ｅを開けて（ＯＮ）、所定時間Ｔ２経過後に閉じる（ＯＦＦ）。さらに、飲料供給制御部１００は、「シロップ原液無し」と判断して飲料供給装置１の筐体に設けた表示部（図示せず）に該当するシロップ原液に係る飲料の売り切れを表示し、かつ、該当するシロップ原液に係る飲料の飲料選択ボタン（図示せず）の操作を無効化する。ここで、シロップ原液が無くなったバッグインボックス２６の交換が行われることになる。
【００４１】
バッグインボックス２６の交換が行われると、飲料供給制御部１００は、交換動作を行うために電磁ポンプ５０ｃ、電磁バルブ５０ｄおよび開閉バルブ５０ｅを制御する。すなわち、交換動作時には、交換したバッグインボックス２６に接続してある貯留部５０ａに対応する電磁バルブ５０ｄを開け（ＯＮ）、電磁ポンプ５０ｃを稼働して（ＯＮ）、図４の（ロ）のごとく検知センサ５０ｂの電極が貯留部５０ａに貯留したシロップ原液に接触して検知センサ５０ｂがＯＮになったとき、電磁バルブ５０ｄを閉じ（ＯＦＦ）、電磁ポンプ５０ｃを停止する（ＯＦＦ）。次いで、飲料供給制御部１００は、開閉バルブ５０ｅを開け（ＯＮ）、所定時間Ｔ２経過後に閉じる（ＯＦＦ）。その後、飲料供給制御部１００は、該当するシロップ原液に係る飲料の供給を可能とし、当該飲料の飲料選択ボタン（図示せず）の操作を有効化する。
【００４２】
このように、本実施の形態におけるシロップ検知回路５０では、吸引配管５０ｆの電磁ポンプ５０ｃと電磁バルブ５０ｄとの間の部位に、大気に対して開閉する開閉バルブ５０ｅを備えた。そして、リトライ動作や交換動作において、電磁バルブ５０ｄを閉じて電磁ポンプ５０ｃを停止した後、開閉バルブ５０ｅを開けて電磁ポンプ５０ｃと電磁バルブ５０ｄとの間の吸引配管５０ｆを大気に開放する。このため、電磁ポンプ５０ｃのイナーシャに関わらず、電磁バルブ５０ｄを境にして電磁ポンプ５０ｃ側の圧を貯留部５０ａ（シロップ供給配管２６ａ）側よりも高く維持することになる。すなわち、電磁バルブ５０ｄを境にして電磁ポンプ５０ｃ側が貯留部５０ａ側よりも低圧となる事態を防ぐことが可能になる。
【００４３】
したがって、シロップポンプ２６ｂの稼働時の振動、飲料供給装置をカップ式飲料自動販売機に適応した場合でのカップ供給機構（図示せず）の稼働時の振動、および飲料供給装置の筐体扉の開閉時の振動などによって電磁バルブ５０ｄにチャタリングが生じたとしても、電磁バルブ５０ｄを境にして電磁ポンプ５０ｃ側の圧を貯留部５０ａ（シロップ供給配管２６ａ）側よりも高く維持しているので、電磁バルブ５０ｄから電磁ポンプ５０ｃ側にシロップ原液が吸引されることがない。この結果、バッグインボックス２６の交換動作時や、リトライ動作時などに電磁バルブ５０ｄおよび電磁ポンプ５０ｃを動作させることができる。すなわち、バッグインボックス２６の交換を適宜行うことができる。また、バッグインボックス２６内部にシロップ原液がまだ有るにもかかわらずシロップ原液が無いと誤検知してしまうことがない。よって、シロップ原液の供給を行うことができなくなる事態を防ぐことができる。
【図面の簡単な説明】
【００４４】
【図１】本発明に係るシロップ検知回路を適用した飲料供給装置の実施の形態を示す概念図である。
【図２】本発明に係るシロップ検知回路の実施の形態を示す概念図である。
【図３】図２に示すシロップ検知回路の制御系を示すブロック図である。
【図４】図２に示すシロップ検知回路の動作を示すタイミングチャートである。
【図５】従来のシロップ検知回路を示す概念図である。
【符号の説明】
【００４５】
１    飲料供給装置
２    シロップ飲料供給部
２６    バッグインボックス
２６ａ    シロップ供給配管（供給配管）
２６ｂ    シロップポンプ
５０    シロップ検知回路
５０ａ    貯留部
５０ｂ    検知センサ
５０ｃ    電磁ポンプ
５０ｄ    電磁バルブ
５０ｅ    開閉バルブ
５０ｆ    吸引配管
５０ｇ    開放配管
１００    飲料供給制御部
１０１    メモリ
Ｃ    カップ
【図１】
2007141141.tif 000003
【図２】
2007141141.tif 000004
【図３】
2007141141.tif 000005
【図４】
2007141141.tif 000006
【図５】
2007141141.tif 000007